(57)【要約】【目的】  生ごみ処理機において生ずる結露水を、ＢＯＤ及びｐＨを適正な値として排水する。【構成】  生ごみ処理機におけ処理槽（１）内の空気の循環経路（２）の途中に設けられた凝集器（３）により除去された結露水を貯留する結露水タンク（４）が、開閉弁（５）が設けられた接続管（６）を介してキッチンキャビネット（７）の排水部（８）に連通接続され、キッチンキャビネットに配設された給水管（１０）に流水を検知するセンサー（１１）が設けられ、給水時に、センサーの流水検知により開閉弁が開き、排水部から水が接続管を通じて結露水タンクに流入し、結露水を希釈する。【選択図】図１
2005125239.tif 000002
【特許請求の範囲】
【請求項１】
生ごみ処理機におけ処理槽内の空気の循環経路の途中に設けられた凝集器により除去された結露水を貯留する結露水タンクが、開閉弁が設けられた接続管を介してキッチンキャビネットの排水部に連通接続され、キッチンキャビネットに配設された給水管に流水を検知するセンサーが設けられ、給水時に、センサーの流水検知により開閉弁が開き、排水部から水が接続管を通じて結露水タンクに流入し、結露水を希釈することを特徴とする生ごみ処理装置。
【請求項２】
センサーは水力発電機能を有し、給水時に電力が発生し、その電力の供給により開閉弁が開閉する請求項１記載の生ごみ処理装置。
【請求項３】
生ごみ処理機における処理槽内の空気の循環経路の途中に設けられた凝集器により除去された結露水を貯留する結露水タンクに規定量の結露水が溜まったことを検知するセンサーが設けられ、結露水タンクは、第１の開閉弁が設けられた接続管を介してキッチンキャビネットの排水部に連通接続されるとともに、キッチンキャビネットに配設された給水管に第２の開閉弁が設けられた分岐管を介して連通接続され、結露水タンク内に規定量の結露水が溜まったことをセンサーが検知した時、第２の開閉弁が開き、給水管から水が分岐管を通じて結露水タンクに流入し、結露水を希釈し、第１の開閉弁が開かれ、希釈された結露水が排水部に接続管を通じて排水されることを特徴とする生ごみ処理装置。
【請求項４】
生ごみ処理機における処理槽内の空気の循環経路の途中に設けられた凝集器により除去された結露水を貯留する結露水タンクが、キッチンキャビネットの排水部と水の流入管及び流出管により接続されていることを特徴とする生ごみ処理装置。
【発明の詳細な説明】
【技術分野】
【０００１】
この出願の発明は、生ごみ処理装置に関するものである。さらに詳しくは、この出願の発明は、生ごみ処理機において生ずる結露水を、ＢＯＤ及びｐＨを適正な値として排水することのできる生ごみ処置装置に関するものである。
【背景技術】
【０００２】
生ごみ処理機には、処理槽内の空気を外部に排気せず、循環させて悪臭の散逸を防止しているものがある。このような生ごみ処理機では、処理槽内の空気中に含まれる水分を空気の循環経路の途中に設けられた凝集器により除去するようにしている（たとえば、特許文献１参照）。
【特許文献１】特開２００１−２９３４５５号公報
【発明の開示】
【発明が解決しようとする課題】
【０００３】
しかしながら、上記特許文献に記載された生ごみ処理機では、発生する結露水を直接キッチンキャビネットの排水管に排水するようにしているが、結露水には生ごみ処理時に発生する臭気成分が溶存しており、ＢＯＤやｐＨという面からすると、排水方式に考慮が望まれる。一般に、下水配管に接続する機器からの排水は、ＢＯＤが300mg/l以下、ｐＨが５〜９の範囲内にあることが好ましいとされている。
【０００４】
この出願の発明は、このような事情に鑑みてなされたものであり、生ごみ処理機において生ずる結露水を、ＢＯＤ及びｐＨを適正な値として排水することのできる生ごみ処置装置を提供することを解決すべき課題としている。
【課題を解決するための手段】
【０００５】
この出願の発明は、上記の課題を解決するものとして、第１には、生ごみ処理機におけ処理槽内の空気の循環経路の途中に設けられた凝集器により除去された結露水を貯留する結露水タンクが、開閉弁が設けられた接続管を介してキッチンキャビネットの排水部に連通接続され、キッチンキャビネットに配設された給水管に流水を検知するセンサーが設けられ、給水時に、センサーの流水検知により開閉弁が開き、排水部から水が接続管を通じて結露水タンクに流入し、結露水を希釈することを特徴とする生ごみ処理装置を提供する。
【０００６】
この出願の発明は、第２には、上記第１の生ごみ処理装置において、センサーは水力発電機能を有し、給水時に電力が発生し、その電力の供給により開閉弁が開閉することを提供する。
【０００７】
この出願の発明は、第３には、生ごみ処理機における処理槽内の空気の循環経路の途中に設けられた凝集器により除去された結露水を貯留する結露水タンクに規定量の結露水が溜まったことを検知するセンサーが設けられ、結露水タンクは、第１の開閉弁が設けられた接続管を介してキッチンキャビネットの排水部に連通接続されるとともに、キッチンキャビネットに配設された給水管に第２の開閉弁が設けられた分岐管を介して連通接続され、結露水タンク内に規定量の結露水が溜まったことをセンサーが検知した時、第２の開閉弁が開き、給水管から水が分岐管を通じて結露水タンクに流入し、結露水を希釈し、第１の開閉弁が開かれ、希釈された結露水が排水部に接続管を通じて排水されることを特徴とする生ごみ処理装置を提供する。
【０００８】
この出願の発明は、第４には、生ごみ処理機における処理槽内の空気の循環経路の途中に設けられた凝集器により除去された結露水を貯留する結露水タンクが、キッチンキャビネットの排水部と水の流入管及び流出管により接続されていることを特徴とする生ごみ処理装置を提供する。
【発明の効果】
【０００９】
この出願の発明の生ごみ処理装置によれば、生ごみ処理機において生ずる結露水を、ＢＯＤ及びｐＨを適正な値として排水することができる。
【発明を実施するための最良の形態】
【００１０】
以下、図面に沿ってこの出願の発明の生ごみ処理装置についてさらに詳しく説明する。
【００１１】
図１は、この出願の発明の第１の生ごみ処理装置を概略的に示した要部断面図である。
【００１２】
この出願の発明の第１の生ごみ処理装置では、生ごみ処理機における処理槽（１）内の空気の循環経路（２）の途中に設けられた凝集器（３）により除去された結露水を貯留する結露水タンク（４）が、開閉弁（５）が設けられた接続管（６）を介してキッチンキャビネット（７）の排水部（８）に連通接続される。排水部（８）は、たとえばシンク（９）の下部に設けることのできる排水トラップ等とすることができる。
【００１３】
また、この出願の発明の第１の生ごみ処理装置では、キッチンキャビネット（７）に配設された給水管（１０）に流水を検知するセンサー（１１）が設けられる。
【００１４】
そして、この出願の発明の第１の生ごみ処理装置では、給水時に、給水管（１０）に水が流れることをセンサー（１１）により検知し、この流水検知により開閉弁（５）が開き、排水部（８）から水が接続管（６）を通じて結露水タンク（４）に流入し、結露水を希釈する。したがって、この出願の発明の第１の生ごみ処理装置では、生ごみ処理機において生じた結露水のＢＯＤ及びｐＨを適正な値とすることができ、適正な値とした後に接続管（６）を通じてキッチンキャビネット（７）の排水部（８）に排水することができる。
【００１５】
この出願の発明の第２の生ごみ処理装置は、上記のとおりの第１の生ごみ処理装置を前提とし、さらに、センサー（１１）に水力発電機能を持たせ、給水時に電力が発生するようにし、その電力の供給により開閉弁（５）の開閉を行わせるようにしている。このように、この出願の発明の第２の生ごみ処理装置は、開閉弁（５）の開閉に要する駆動力を水力発電による電力によりまかなうものであり、省エネルギー型の生ごみ処理装置となっている。なお、開閉弁（５）には、電動駆動方式の電磁弁等を採用することができる。
【００１６】
図２は、この出願の発明の第３の生ごみ処理装置の概略を示した要部断面図である。
【００１７】
この出願の発明の第３の生ごみ処理装置では、前述のとおりの結露水タンク（４）に規定量の結露水が溜まったことを検知するセンサー（１２）が設けられる。
【００１８】
また、この出願の発明の第３の生ごみ処理装置では、結露水タンク（４）は、第１の開閉弁（１３）が設けられた接続管（１４）を介してキッチンキャビネット（７）の排水部（８）に連通接続されるとともに、キッチンキャビネット（７）に配設された給水管（１０）に第２の開閉弁（１５）が設けられた分岐管（１６）を介して連通接続される。
【００１９】
そして、この出願の発明の第３の生ごみ処理装置では、結露水タンク（４）内に規定量の結露水が溜まったことをセンサー（１２）が検知した時、第２の開閉弁（１５）が開き、給水管（１０）から水が分岐管（１６）を通じて結露水タンク（４）に流入し、結露水を希釈する。また、第１の開閉弁（１３）が開かれ、希釈された結露水が排水部（８）に接続管（１４）を通じて排水される。したがって、この出願の発明の第３の生ごみ処理装置もまた、生ごみ処理機において生じた結露水のＢＯＤ及びｐＨを適正な値とすることができ、適正な値とした後に接続管（１４）を通じてキッチンキャビネット（７）の排水部（８）に排水することができる。
【００２０】
なお、この出願の発明の第３の生ごみ処理装置では、結露水が溜まったことを検知するセンサー（１２）として水位センサー等を採用することができる。
【００２１】
図３は、この出願の発明の第４の生ごみ処理装置を概略的に示した要部断面図である。
【００２２】
この出願の発明の第４の生ごみ処理装置では、前述の結露水タンク（４）が、キッチンキャビネット（７）の排水部（８）と水の流入管（１７）及び流出管（１８）により接続される。この出願の発明の第４の生ごみ処置装置では、シンク（９）等からの排水時に水が流入管（１７）を通じて結露水タンク（４）に流入し、結露水を希釈し、希釈された結露水が流出管（１８）を通じて排水トラップ等の排水部（８）に排水される。したがって、この出願の発明の第４の生ごみ処置装置の場合にも、生ごみ処理機において生じた結露水のＢＯＤ及びｐＨを適正な値とすることができ、適正な値とした後に流出管（１８）を通じてキッチンキャビネット（７）の排水部（８）に排水することができる。
【００２３】
もちろん、この出願の発明は、以上の実施形態によって限定されるものではない。生ごみ処理機、キッチンキャビネットの構成及び構造等の細部については様々な態様が可能であることはいうまでもない。
【産業上の利用可能性】
【００２４】
以上詳しく説明したとおり、この出願の発明によって、生ごみ処理機において生ずる結露水を、ＢＯＤ及びｐＨを適正な値として排水することができる。
【図面の簡単な説明】
【００２５】
【図１】この出願の発明の第１の生ごみ処理装置を概略的に示した要部断面図である。
【図２】この出願の発明の第３の生ごみ処理装置の概略を示した要部断面図である。
【図３】この出願の発明の第４の生ごみ処理装置を概略的に示した要部断面図である。
【符号の説明】
【００２６】
１    処理槽
２    循環経路
３    凝集器
４    結露水タンク
５    開閉弁
６    接続管
７    キッチンキャビネット
８    排水部
９    シンク
１０    給水管
１１    センサー
１２    センサー
１３    第１の開閉弁
１４    接続管
１５    第２の開閉弁
１６    分岐管
１７    流入管
１８    流出管
【図１】
2005125239.tif 000003
【図２】
2005125239.tif 000004
【図３】
2005125239.tif 000005